(57)【特許請求の範囲】
【請求項１】
前端面から後方に向けて延びる、フラットケーブルが挿抜可能なフラットケーブル受容開口を有する絶縁性のハウジングと、
該ハウジングに取り付けられたコンタクトであって、前記フラットケーブル受容開口に挿入された前記フラットケーブルの上面に接触する上接点を有する上側接触ビーム及び前記フラットケーブルの下面に接触する下接点を有する下側接触ビームを備えたコンタクトと、
前記ハウジングに対し、回動操作開始位置から後側に回動することによって回動操作終了位置に至るように回動可能に支持されたアクチュエータであって、前記フラットケーブルが前記フラットケーブル受容開口に挿入された際に、回動操作によって前記フラットケーブルに対する接圧を付与するアクチュエータとを備えたフラットケーブルコネクタにおいて、
前記コンタクトは、前記下側接触ビームから延び、前記アクチュエータの回動操作によって駆動され、前記下側接触ビームの下接点を上方に変位させて前記下側接触ビームによる前記フラットケーブルに対する接圧を付与する下側接触ビーム作動部と、前記上側接触ビームから延び、前記アクチュエータの回動操作によって前記上側接触ビームを前方に向けて移動させるとともに前記上接点を下方に変位させて前記上側接触ビームによる前記フラットケーブルに対する接圧を付与する上側接触ビーム作動部とを備えることを特徴とするフラットケーブルコネクタ。
【請求項２】
前記コンタクトが、前記ハウジングに固定される基板部を備え、
前記上側接触ビームが、前記基板部の上縁から延びる、前記基板部の前後方向幅よりも小さな幅を有する上側連結片の上端から前方に向けて延びると共に、前記上側接触ビーム作動部が、前記上側接触ビームの後端且つ前記上側連結片の上端から後方に向けて延びることを特徴とする請求項１記載のフラットケーブルコネクタ。
【請求項３】
前記下側接触ビームが、前記基板部の前縁から延びる、前記基板部の上下方向幅よりも小さな幅を有する下側連結片の前端から前方に向けて延びると共に、前記下側接触ビーム作動部が、前記下側接触ビームの後端且つ前記下側連結片の前端から前方に向けて延びていることを特徴とする請求項２記載のフラットケーブルコネクタ。
【発明の詳細な説明】
【技術分野】
【０００１】
本発明は、フレキシブルフラットケーブル（ＦＦＣ）及びフレキシブル回路基板（ＦＰＣ）などのフラットケーブルが接続されるフラットケーブルコネクタに関する。
【背景技術】
【０００２】
従来のこの種のフラットケーブルコネクタとして、例えば、図９に示すものが知られている（特許文献１参照）。図９は、従来のフラットケーブルコネクタの一例の断面図である。
図９に示すフラットケーブルコネクタ１００は、フラットケーブル１４０が挿抜可能なフラットケーブル受容開口１１１を有する絶縁性のハウジング１１０を備えている。フラットケーブル受容開口１１１は、ハウジング１１０の前端面（図９における左端面）から後側に向けて延びている。ハウジング１１０には、その幅方向（図９において紙面に対して直交する方向）に沿って複数のコンタクト１２０が取り付けられている。各コンタクト１２０は、フラットケーブル受容開口１１１に挿入されたフラットケーブル１４０の上面に接触する上側接触ビーム１２４及びフラットケーブル１４０の下面に接触する下側接触ビーム１２３を有する。上側接触ビーム１２４及び下側接触ビーム１２３のそれぞれの先端には、接触突部１２４ａ，１２３ａが形成されている。コンタクト１２０は、前側から後側に向けて細長く延びる基部１２１を有する。基部１２１は、ハウジング１１０の後方からハウジング１１０に対して圧入固定される。下側接触ビーム１２３は、基部１２１の前後方向略中央部から上方に延びる支点部１２２の上端に設けられる。下側接触ビーム１２３は、支点部１２２を挟んで前後方向に細長く延びている。上側接触アーム１２４は、下側接触ビーム１２３の支点部１２２よりも後側の部分から立ち上がり、下側接触ビーム１２３に対向するように前方に向けて延びる。
【０００３】
また、フラットケーブルコネクタ１００は、アクチュエータ１３０を備えている。このアクチュエータ１３０は、フラットケーブル１４０がフラットケーブル受容開口１１１に挿入された際に、回動操作によって上側接触ビーム１２４及び下側接触ビーム１２３によるフラットケーブル１４０に対する接圧を付与する。具体的に述べると、アクチュエータ１３０は、ハウジング１１０に対し、回動操作開始位置から後側に、即ち図９における矢印Ａ方向に回動することによって回動操作終了位置に至るように回動可能に支持されている。図９においては、アクチュエータ１３０が回動操作終了位置にある状態を示している。
【０００４】
そして、各コンタクト１２０には、アクチュエータ１３０の回動操作によって駆動される作動部１２５が設けられている。作動部１２５は、下側接触ビーム１２３の後端部に設けられる。作動部１２５は、アクチュエータ１３０が後側に向けて回動された際に、アクチュエータ１３０の駆動部１３１によって上方に押し上げられ、上側接触ビーム１２４が下側に変位する。これにより、上側接触ビーム１２４及び下側接触ビーム１２３によるフラットケーブル１４０に対する接圧が付与される。
【０００５】
また、従来のフラットケーブルコネクタの他の例として、例えば、図１０に示すものも知られている（特許文献２参照）。図１０は、従来のフラットケーブルコネクタの他の例の断面図である。
図１０に示すフラットケーブルコネクタ２００は、フラットケーブル２５０が挿抜可能なフラットケーブル受容開口２１１を有する絶縁性のハウジング２１０を備えている。フラットケーブル受容開口２１１は、ハウジング２１０の前端面（図１０における左端面）から後側に向けて延びている。ハウジング２１０には、その幅方向（図１０において紙面に対して直交する方向）に沿って複数のコンタクト２２０が取り付けられている。各コンタクト２２０は、ハウジング２１０の後端から圧入される基部２２１を備えている。基部２２１の前縁の上端からは、連結部２２３が前方に延び、連結部２２３の前端に回動支持部２２２が設けられている。また、連結部２２３の下端縁の前後方向略中央部からは、下側接触アーム２２４が延びている。下側接触アーム２２４は、連結部２２３から下方に延び更に前方に延びる。下側接触アーム２２４は、フラットケーブル受容開口２１１に挿入されたフラットケーブル２５０の下面に接触する。
【０００６】
また、フラットケーブルコネクタ２００は、アクチュエータ２３０を備えている。アクチュエータ２３０は、フラットケーブル２５０がフラットケーブル受容開口２１１に挿入された際に、回動操作によって下側接触ビーム２２４によるフラットケーブル２５０に対する接圧を付与する。具体的に述べると、アクチュエータ２３０は、回動支持部２２２に対し、回動操作開始位置から前側に、即ち図１０における矢印Ｂ方向に回動することによって回動操作終了位置に至るように回動可能に支持されている。図１０においては、アクチュエータ２３０が回動操作終了位置にある状態を示している。アクチュエータ２３０が回動操作開始位置から前側に回動すると、アクチュエータ２３０に設けられた押圧部２３１がフラットケーブル２５０の上面を押圧する。これにより、下側接触ビーム２２４によるフラットケーブル２５０に対する接圧が付与される。
【０００７】
更に、ハウジング２１０の前端であって幅方向両端には、一対の抑止翼２４０（一方のみ図示）が設けられている。これら抑止翼２４０は、フラットケーブル２５０の上面に近接もしくは接面するように位置し、フラットケーブル２５０の上方への移動を規制する。
更に、従来のフラットケーブルコネクタのもう一つ他の例として、例えば、図１１に示すものも知られている（特許文献３参照）。図１１は、従来のフラットケーブルコネクタのもう一つ他の例の断面図である。
【０００８】
図１１に示すフラットケーブルコネクタ３００は、回路基板ＰＣＢ上に実装されるもので、フラットケーブル３４０が挿抜可能なフラットケーブル受容開口３１１を有する絶縁性のハウジング３１０を備えている。フラットケーブル受容開口３１１は、ハウジング３１０の前端面（図１１における左端面）から後側に向けて延びている。ハウジング３１０には、その幅方向に沿って複数のコンタクト３２０が取り付けられている。各コンタクト３２０は、ハウジング３１０に固定される基部３２１を備えている。基部３２１の前縁の下端近傍からは、ハウジング３１０に圧入固定される圧入部３２２が延びている。そして、圧入部３２２の前後方向略中央部の上端からは、フラットケーブル受容開口３１１に挿入されたフラットケーブル３４０の上面に接触する接触ビーム３２３が延びている。接触ビーム３２３は、圧入部３２２の前後方向略中央部の上端から立ちあがって逆Ｓ字状の湾曲部を経て前方に延びている。接触ビーム３２３の前端には、フラットケーブル３４０の上面に接触する接点３２３ａが設けられている。
【０００９】
また、フラットケーブルコネクタ３００は、アクチュエータ３３０を備えている。アクチュエータ３３０は、ハウジング３１０に対し、回動操作開始位置から後側に回動することによって回動操作終了位置に至るように回動可能に支持されている。このアクチュエータ３３０を回動操作開始位置から後側に回動すると、アクチュエータ３３０に設けられた駆動部３３１が接触ビーム３２３を前方へ向けて押圧する。これにより、接触ビーム３２３の前端に設けられた接点３２３ａが下方に変位し、フラットケーブル３４０の上面を押圧し、接触ビーム３２３によるフラットケーブル３４０に対する接圧が付与される。
【先行技術文献】
【特許文献】
【００１０】
【特許文献１】特開２００４−１５８２０６号公報
【特許文献２】特許第３０２９９８５号公報
【特許文献３】特開２００８−１２３８０２号公報
【発明の概要】
【発明が解決しようとする課題】
【００１１】
しかしながら、図９に示したフラットケーブルコネクタ１００、図１０に示したフラットケーブルコネクタ２００、及び図１１に示したフラットケーブルコネクタ３００にあっては、以下の問題点があった。
即ち、図９に示したフラットケーブルコネクタ１００の場合、アクチュエータ１３０が回動操作終了位置にある状態では、アクチュエータ１３０の駆動部１３１によって作動部１２５がロックされている。このため、挿入が完了したフラットケーブル１４０が図９における矢印Ｘで示す上方に煽られた場合には、下側接触ビーム１２３がフラットケーブル１４０に追従できない。これにより、下側接触ビーム１２３のフラットケーブル１４０に対する接圧が低下するので、下側接触ビーム１２３の接触不良が生じるおそれがあった。
【００１２】
また、図１０に示したフラットケーブルコネクタ２００の場合、抑止翼２４０を設けているので、フラットケーブル２５０が上方へ煽られた際にアクチュエータ２３０が回動してフラットケーブル２５０が抜けてしまうことはない。しかしながら、図１０に示すように、上方へ曲げられたフラットケーブル２５０に対して矢印Ｙで示す下方に荷重が加わる場合には、フラットケーブル２５０にかかる荷重を受ける部材が何ら存在しない。このため、フラットケーブル２５０の下側接触ビーム２２４が接触している部分の近傍に対しても下方へ移動しようとする荷重が作用する。ここで、図１０に示すフラットケーブルコネクタ２００において、図９に示すフラットケーブルコネクタ１００のように上側接触ビームが存在すると仮定した場合、フラットケーブル２５０が上側接触ビームから離れようとする。このため、上側接触ビームによるフラットケーブル２５０に対する接圧が低下し、接触不良が生じるおそれがある。
【００１３】
更に、図１１に示したフラットケーブルコネクタ３００の場合、アクチュエータ３３０の回動操作によって接触ビーム３２３を前方へ向けて押圧する。これにより、接点３２３ａを下方に変位させてフラットケーブル３４０の上面を押圧することができる。しかしながら、図１１に示したフラットケーブルコネクタ３００は、フラットケーブル３４０の上面を押圧する接触ビーム３２３のみを有し、フラットケーブル３４０の下面を押圧する接触ビームを有しない。このため、アクチュエータ３３０の回動操作によって接触ビーム３２３を前方へ向けて押圧する技術を、上下接点を有するコンタクトを備えたタイプのフラットケーブルコネクタに適用することができない。
【００１４】
従って、本発明はこれら問題点に鑑みてなされたものであり、その目的は、コンタクトがフラットケーブルの上面に接触する上接点を有する上側接触ビーム及びフラットケーブルの下面に接触する下接点を有する下側接触ビームを備えたフラットケーブルコネクタにおいて、フラットケーブルが上方に煽られた場合に、下側接触ビームの接触不良を回避するとともに、フラットケーブルに対して下方に荷重が加わる場合にも上側接触ビームの接触不良を回避することができるフラットケーブルコネクタを提供することにある。
【課題を解決するための手段】
【００１５】
上記目的を達成するために、本発明のうち請求項１に係るフラットケーブルコネクタは、前端面から後方に向けて延びる、フラットケーブルが挿抜可能なフラットケーブル受容開口を有する絶縁性のハウジングと、該ハウジングに取り付けられたコンタクトであって、前記フラットケーブル受容開口に挿入された前記フラットケーブルの上面に接触する上接点を有する上側接触ビーム及び前記フラットケーブルの下面に接触する下接点を有する下側接触ビームを備えたコンタクトと、前記ハウジングに対し、回動操作開始位置から後側に回動することによって回動操作終了位置に至るように回動可能に支持されたアクチュエータであって、前記フラットケーブルが前記フラットケーブル受容開口に挿入された際に、回動操作によって前記フラットケーブルに対する接圧を付与するアクチュエータとを備えたフラットケーブルコネクタにおいて、前記コンタクトは、前記下側接触ビームから延び、前記アクチュエータの回動操作によって駆動され、前記下側接触ビームの下接点を上方に変位させて前記下側接触ビームによる前記フラットケーブルに対する接圧を付与する下側接触ビーム作動部と、前記上側接触ビームから延び、前記アクチュエータの回動操作によって前記上側接触ビームを前方に向けて移動させるとともに前記上接点を下方に変位させて前記上側接触ビームによる前記フラットケーブルに対する接圧を付与する上側接触ビーム作動部とを備えることを特徴としている。
【００１６】
また、本発明のうち請求項２に係るフラットケーブルコネクタは、請求項１記載のフラットケーブルコネクタにおいて、前記コンタクトが、前記ハウジングに固定される基板部を備え、前記上側接触ビームが、前記基板部の上縁から延びる、前記基板部の前後方向幅よりも小さな幅を有する上側連結片の上端から前方に向けて延びると共に、前記上側接触ビーム作動部が、前記上側接触ビームの後端且つ前記上側連結片の上端から後方に向けて延びることを特徴としている。
【００１７】
更に、本発明のうち請求項３に係るフラットケーブルコネクタは、請求項２記載のフラットケーブルコネクタにおいて、前記下側接触ビームが、前記基板部の前縁から延びる、前記基板部の上下方向幅よりも小さな幅を有する下側連結片の前端から前方に向けて延びると共に、前記下側接触ビーム作動部が、前記下側接触ビームの後端且つ前記下側連結片の前端から前方に向けて延びていることを特徴としている。
【発明の効果】
【００１８】
本発明に係るフラットケーブルコネクタによれば、コンタクトは、下側接触ビームから延び、アクチュエータの回動操作によって駆動され、下側接触ビームの下接点を上方に変位させて下側接触ビームによるフラットケーブルに対する接圧を付与する下側接触ビーム作動部を備えている。フラットケーブルをフラットケーブル受容開口に挿入した後、フラットケーブルが上方へ煽られた場合には、フラットケーブルの下面は下側接触ビームの下接点から離れようとする。しかし、下側接触ビームの下接点はアクチュエータ及び下側接触ビーム作動部によって上方へ変位させられているので、下側接触ビームの下接点はフラットケーブルの動きに追従することができる。従って、フラットケーブルが上方に煽られた場合に、下側接触ビームの下接点がフラットケーブルに追従できる構成となり、下側接触ビームの接触不良を回避することができる。
【００１９】
また、コンタクトは、上側接触ビームから延び、アクチュエータの回動操作によって上側接触ビームを前方に向けて移動させるとともに上接点を下方に変位させて上側接触ビームによるフラットケーブルに対する接圧を付与する上側接触ビーム作動部を備えている。フラットケーブルがフラットケーブル受容開口に挿入された後、フラットケーブルに対して下方に荷重が加わった場合、フラットケーブルの上面は上側接触ビームの上接点から離れようとする。しかし、上側接触ビームの上接点はアクチュエータ及び上側接触ビーム作動部によって下方に変位させられているので、上側接触ビームの上接点はフラットケーブルの動きに追従することができる。従って、フラットケーブルに対して下方に荷重が加わった場合に、上側接触ビームの上接点がフラットケーブルに追従できる構成となり、上側接触ビームの接触不良を回避することができる。
【図面の簡単な説明】
【００２０】
【図１】本発明に係るフラットケーブルコネクタの実施形態の正面図である。
【図２】図１に示すフラットケーブルコネクタの平面図である。
【図３】図１に示すフラットケーブルコネクタの右側面図である。
【図４】図１における４−４線に沿う断面図である。
【図５】図１における５−５線に沿う断面図である。
【図６】図１における６−６線に沿う断面図である。
【図７】図１に示すフラットケーブルコネクタの作用を説明するもので、（Ａ）はアクチュエータが回動操作開始位置にある状態の断面図、（Ｂ）はアクチュエータが回動途中にある状態の断面図、（Ｃ）はアクチュエータが回動操作終了位置にある状態の断面図である。
【図８】図１に示すフラットケーブルコネクタの作用をフラットケーブルとともに説明するもので、（Ａ）はアクチュエータが回動操作開始位置にあり、フラットケーブルがフラットケーブル受容開口に挿入された状態の断面図、（Ｂ）はアクチュエータが回動操作終了位置にある状態の断面図、（Ｃ）はアクチュエータが回動操作終了位置にある状態で、フラットケーブルが上方へ煽られたり、あるいはフラットケーブルに対して下方に荷重が加わる場合の断面図である。
【図９】従来のフラットケーブルコネクタの一例の断面図である。
【図１０】従来のフラットケーブルコネクタの他の例の断面図である。
【図１１】従来のフラットケーブルコネクタのもう一つ他の例の断面図である。
【発明を実施するための形態】
【００２１】
以下、本発明に係るフラットケーブルコネクタの実施形態を図面を参照して説明する。
図１に示すフラットケーブルコネクタ１は、ハウジング１０と、複数の第１コンタクト２０及び第２コンタクト３０と、アクチュエータ４０と、一対の左側半田ペグ５０及び右側半田ペグ６０とを備えている。
ここで、ハウジング１０は、幅方向（図１における左右方向）及び前後方向（図２において、下側が前方で、上側が後方）に延びる略矩形に形成され、絶縁性の合成樹脂を成形することによって一体的に形成される。ハウジング１０には、フラットケーブル７０（図８（Ａ），（Ｂ），（Ｃ）参照）が挿抜可能なフラットケーブル受容開口１１が設けられている。このフラットケーブル受容開口１１は、ハウジング１０の幅方向に沿い且つハウジング１０の前端面（図２における下端面、図４及び図５における左端面）から後方に向けて延びている。フラットケーブル７０は、本実施形態では、フレキシブル回路基板（ＦＰＣ）で構成されている。フラットケーブル７０は、フラットケーブル受容開口１１に対してフラットケーブル挿入方向（前後方向）に沿って挿入され、その反対方向に沿って抜去される。
【００２２】
また、複数の第１コンタクト２０及び第２コンタクト３０は、ハウジング１０の幅方向に沿って一列状に交互に取り付けられる。
各第１コンタクト２０は、図４に示すように、基板部２１、下側接触ビーム２３、上側接触ビーム２６、下側接触ビーム作動部２４及び上側接触ビーム作動部２７を備えている。各第１コンタクト２０は、金属板を打抜き加工することによって形成される。
【００２３】
ここで、基板部２１は、略矩形の平板状に形成され、ハウジング１０の後方からハウジング１０に圧入固定される。基板部２１の下端部には、図示しない回路基板上に半田等により接続される基板接続部２１ａが設けられている。下側接触ビーム２３は、基板部２１の前縁の上下方向略中央部から延びる下側連結片２２の前端から前方に向けて延び、フラットケーブル受容開口１１の下方側に位置する。下側連結片２２は、基板部２１の上下方向幅よりもかなり小さな幅を有している。下側接触ビーム２３の前端には、フラットケーブル受容開口１１に挿入されたフラットケーブル７０の下面に接触する下接点２３ａが上方に向けて突出形成されている。また、上側接触ビーム２６は、基板部２１の上縁から上方に延びる上側連結片２５の上端から前方に向けて延び、フラットケーブル受容開口１１の上方側に位置する。上側連結片２５は、基板部２１の前後方向幅よりも小さな幅を有する。上側接触ビーム２６の前端には、フラットケーブル受容開口１１に挿入されたフラットケーブル７０の上面に接触する上接点２６ａが下方に向けて突出形成されている。
【００２４】
更に、下側接触ビーム作動部２４は、下側接触ビーム２３の後端かつ下側連結片２２の前端から前方に向けて延びている。この下側接触ビーム作動部２４は、アクチュエータ４０の回動操作によって駆動され、下側接触ビーム２３に連結されることにより下側接触ビーム２３の下接点２３ａを上方に変位させる。これにより、下側接触ビーム２３によるフラットケーブル７０に対する接圧が付与される。また、上側接触ビーム作動部２７は、上側接触ビーム２６の後端且つ上側連結片２５の上端から後方に突出している。この上側接触ビーム作動部２７は、アクチュエータ４０の回動操作によって上側接触ビーム２６を前方に向けて移動させるとともに上接点２６ａを下方に変位させる。これにより、上側接触ビーム２６によるフラットケーブル７０に対する接圧が付与される。
【００２５】
また、各第２コンタクト３０は、図５に示すように、基部３１、第２下側接触ビーム３２、第２上側接触ビーム３３、及び前方延出部３４を備え、金属板を打抜き加工することによって形成される。基部３１は、略矩形の平板状に形成され、ハウジング１０の前方からハウジング１０に圧入固定される。第２下側接触ビーム３２は、基部３１の前端縁の下端部から前方に延びる連結部３１ａの前端から立ち上がり更に後方に向けて延びてフラットケーブル受容開口１１の下方側に位置する。連結部３１ａの前端の下端部には、図示しない回路基板に半田等により接続される基板接続部３１ｂが設けられている。また、第２上側接触ビーム３３は、連結部３１ａの後端近傍から立ち上がり更に前方に向けて延びてフラットケーブル受容開口１１の上方側に位置する。更に、前方延出部３４は、基部３１の前縁の上端部から前方に向けて延びている。また、第２下側接触ビーム３２の後端には、フラットケーブル受容開口１１に挿入されたフラットケーブル７０の下面に接触する第２下接点３２ａが上方に向けて突出形成されている。また、第２上側接触ビーム３３の前端には、フラットケーブル受容開口１１に挿入されたフラットケーブル７０の上面に接触する第２上接点３３ａが下方に向けて突出形成されている。なお、フラットケーブル７０がフラットケーブル受容開口１１に挿入された後、アクチュエータ４０の回動操作によって駆動部４８ａが第２上側接触ビーム３３の前端を上方から押圧し、第２上側接触ビーム３３を下方に向けて変位させる。これにより、第２上側接触ビーム３３によるフラットケーブル７０に対する接圧が付与される。
【００２６】
更に、アクチュエータ４０は、フラットケーブル７０がフラットケーブル受容開口１１に挿入された際に、回動操作によって上側接触ビーム２６、第２上側接触ビーム３３、下側接触ビーム２３、及び第２下側接触ビーム３２によるフラットケーブル７０に対する接圧を付与する。アクチュエータ４０は、図１に示すように、ハウジング１０の幅方向に沿って延びるアクチュエータ本体部４１と、アクチュエータ本体部４１の幅方向両端に設けられた一対の側壁部４２とを備えている。一対の側壁部４２は、それら側壁部４２の前端（図１、図４における下端）において、幅方向に延びる連結部４３によって連結されている。そして、連結部４３の幅方向両端近傍には、図１及び図６に示すように、一対の左側半田ペグ５０及び左側半田ペグ６０を挿通可能とする一対の貫通孔４４が形成されている。また、各アクチュエータ４０の貫通孔４４には、図６に示すように、回動軸部４５が設けられている。各回動軸部４５は、図６に示すように、ハウジング１０に圧入固定された右側半田ペグ６０（左側半田ペグ５０も同様）の切欠６４に入り込む。これにより、アクチュエータ４０は、図７（Ａ）に示す回動操作開始位置から図７（Ｃ）に示す回動操作終了位置に至るまで矢印ａ方向に回動可能となっている。つまり、アクチュエータ４０は、ハウジング１０に対し、回動操作開始位置から後側に回動することによって回動操作終了位置に至るように回動可能に支持されている。従って、フラットケーブルコネクタ１は、いわゆるバックフリップ型のコネクタということができる。ここで、回動操作開始位置は、図７（Ａ）に示すように、アクチュエータ４０が水平方向に対して９０°の角度で起立した位置である。また、回動操作終了位置は、図７（Ｃ）に示すように、アクチュエータ４０が水平方向となる位置である。
【００２７】
また、アクチュエータ４０の連結部４３には、図１、図４及び図５に示すように、第１コンタクト２０の上側接触アーム２６が入り込む複数の第１貫通孔４６が形成されている。また、同連結部４３には、第２コンタクト３０の前方延出部３４が入り込む複数の第２貫通孔４８が形成されている。複数の第１貫通孔４６及び第２貫通孔４８は、連結部４３の幅方向に沿って交互に形成されている。そして、アクチュエータ４０の連結部４３の第１貫通孔４６には、図４及び図７（Ａ）,(Ｂ)，（Ｃ）に示すように、第１駆動部４７が設けられている。第１駆動部４７は、アクチュエータ４０の回動操作によって第１コンタクト２０の下側接触ビーム作動部２４を駆動し、下側接触ビーム作動部２４と一体の下側接触ビーム２３及び下接点２３ａを上方に変位させる。更に、アクチュエータ４０の連結部４３の第２貫通孔４８のところには、図５に示すように、別個の第２駆動部４８ａが設けられている。第２駆動部４８ａは、回動操作によって第２コンタクト３０の第２上側接触ビーム３３の先端を上方から押し、第２上側接触ビーム３３を下方に向けて変位させる。
【００２８】
更に、アクチュエータ４０の一対の側壁部４２は、それら側壁部４２の後端（図１、図４における上端）において、幅方向に延びる第３駆動部４９によって連結されている。第３駆動部４９は、図７（Ａ）,(Ｂ)，（Ｃ）に示すように、アクチュエータ４０の回動操作によって上側接触ビーム作動部２７を矢印ｂで示す前方に押圧する。これにより、上側接触ビーム２６を矢印ｂで示す前方に向けて移動させるとともに上接点２６ａを下方に変位させる。これにより、上側接触ビーム２６によるフラットケーブル７０に対する接圧が付与される。なお、第３駆動部４９は、図４及び図７（Ａ）,（Ｂ），（Ｃ）に示すように、内側面４９ｂを有する略平板状に形成され、その先端内側に傾斜面４９ａが形成されている。また、第３駆動部４９の基端側には、内側面４９ｂから凹む凹部４９ｃが形成されている。第３駆動部４９の詳細な機能については後述する。
【００２９】
また、一対の左側半田ペグ５０及び右側半田ペグ６０は、ハウジング１０の幅方向両端部に圧入固定されるものであり、ハウジング１０を回路基板（図示せず）上に半田によって固定するものである。左側半田ペグ５０及び右側半田ペグ６０は、同一の形状及び構造を有するので、右側半田ペグ６０の形状及び構造のみについて説明する。
右側半田ペグ６０は、図６に示すように、略矩形平板状の基部６１と、圧入部６２と、上方延出部６３とを備え、金属板を打抜き加工することによって形成される。基部６１は、その下端縁が回路基板上に半田固定される。圧入部６２は、基部６１の後端縁から後方に延び、ハウジング１０の前方からハウジング１０に圧入固定される。また、上方延出部６３は、基部６１の上縁から上方に延び、後縁に回動軸部４５が入り込む切欠６４が形成されている。
【００３０】
次に、図７（Ａ）,(Ｂ)，（Ｃ）及び図８（Ａ）,(Ｂ)，（Ｃ）を参照してフラットケーブルコネクタ１の作用について説明する。
先ず、図７（Ａ）に示すように、アクチュエータ４０が回動操作開始位置にあるときには、アクチュエータ４０は水平方向に対して略９０°の角度で起立した位置にある。この状態で、図８（Ａ）に示すように、フラットケーブル７０を前側からフラットケーブル受容開口１１内に挿入する。この際には、第１コンタクト２０の下側接触ビーム２３及び上側接触ビーム２６、第２コンタクト３０の第２下側接触ビーム３２及び第２上側接触ビーム３３からフラットケーブル７０に対し接圧は付与されない。
【００３１】
次いで、図７（Ｂ）に示すように、アクチュエータ４０を後側に向けて矢印ａ方向に回動する。すると、アクチュエータ４０の第１駆動部４７が第１コンタクト２０の下側接触ビーム作動部２４を矢印ｃで示す上方に駆動し、下側接触ビーム２３の下接点２３ａが矢印ｄで示す上方に変位する。これにより、第１コンタクト２０の下側接触ビーム２２によるフラットケーブル７０に対する接圧が付与される。またこのとき同時に、図示はしないが、アクチュエータ４０の第２駆動部４８ａが第２コンタクト３０の第２上側接触ビーム３３の先端部を上方から押圧し、第２上側接触ビーム３３を下方に向けて変位させる。これにより、第２コンタクト３０の第２上側接触ビーム３３によるフラットケーブル７０に対する接圧が付与される。
また更に、図７（Ｂ）に示すように、アクチュエータ４０の第３駆動部４９の傾斜面４９ａが第１コンタクト２０の上側接触ビーム作動部２７を矢印ｂで示す前方に押圧する。
【００３２】
そして、図７（Ｃ）に示すように、アクチュエータ４０を更に後側に向けて矢印ａ方向に回動し、アクチュエータ４０が回動操作終了位置に至る。すると、アクチュエータ４０の第１駆動部４７が第１コンタクト２０の下側接触ビーム作動部２４を更に上方に駆動し、下側接触ビーム２３の下接点２３ａが矢印ｄで示す更に上方に変位する。これにより、第１コンタクト２０の下側接触ビーム２２によるフラットケーブル７０に対する接圧が増加される。またこのとき同時に、図示はしないが、アクチュエータ４０の第２駆動部４８ａが第２コンタクト３０の第２上側接触ビーム３３の先端部を上方から更に押圧し、第２上側接触ビーム３３を更に下方に向けて変位させる。これにより、第２コンタクト３０の第２上側接触ビーム３３によるフラットケーブル７０に対する接圧が増加される。
【００３３】
また更に、図７（Ｃ）に示すように、アクチュエータ４０の第３駆動部４９の凹部４９ｃが第１コンタクト２０の上側接触ビーム作動部２７を矢印ｂで示す更に前方に押圧し、上接点２６ａを矢印ｅで示す下方に変位させる。これにより、上側接触ビーム２６によるフラットケーブル７０に対する接圧が付与される。図８（Ｂ）には、フラットケーブル７０がフラットケーブル受容開口１１に挿入された状態で、アクチュエータ４０が回動操作終了位置にある状態が示されている。
従って、アクチュエータ４０の回動操作が終了した状態では、第１コンタクト２０の下接点２３ａが上方に変位し、上接点２６ａが下方に変位し、この状態でフラットケーブル７０の上下面にそれぞれ接触している。このため、第１コンタクト２０の下接点２３ａ及び上接点２６ａはフラットケーブル７０に対して確実に接触している。
【００３４】
ここで、図８（Ｃ）に示すように、何らかの原因により、フラットケーブル７０が矢印ｆで示す上方へ煽られることがある。この場合には、フラットケーブル７０の下面は、第１コンタクト２０の下側接触ビーム２３の下接点２３ａから離れようとする。しかし、下側接触ビーム２３の下接点２３ａは、アクチュエータ４０及び下側接触ビーム作動部２４によって上方へ変位させられている。このため、下側接触ビーム２３の下接点２３ａはフラットケーブル７０の動きに追従することができる。従って、フラットケーブル７０が上方に煽られた場合に、下側接触ビーム２３の下接点２３ａがフラットケーブル７０に追従できる構成となり、下側接触ビーム２３の接触不良を回避することができる。
【００３５】
一方、図８（Ｃ）に示すように、何らかの原因により、フラットケーブル７０に対して矢印ｇで示す下方に荷重が加わることがある。この場合には、フラットケーブル７０の上面は、第１コンタクト２０の上側接触ビーム２６の上接点２６ａから離れようとする。しかし、上側接触ビーム２６の上接点２６ａは、アクチュエータ４０及び上側接触ビーム作動部２７によって下方に変位させられている。このため、上側接触ビーム２６の上接点２６ａはフラットケーブル７０の動きに追従することができる。従って、フラットケーブル７０に対して下方に荷重が加わった場合に、上側接触ビーム２６の上接点２６ａがフラットケーブル７０に追従できる構成となり、上側接触ビーム２６の接触不良を回避することができる。
【００３６】
なお、第１コンタクト２０の下側接触ビーム２３は、基板部２１の前縁から延びる、基板部２１の上下方向幅よりも小さな幅を有する下側連結片２２の前端から前方に向けて延びている。そして、下側接触ビーム作動部２４は、下側接触ビーム２３の後端且つ下側連結片２２の前端から前方に向けて延びている。このため、下側接触ビーム２３及び下側接触ビーム作動部２４の双方が幅の狭い下側連結片２２から延びているので、アクチュエータ４０の回動操作によって下側接触ビーム作動部２４及び下側接触ビーム２３が容易に変形することができる。
【００３７】
また、第１コンタクト２０の上側接触ビーム２６は、基板部２１の上縁から延びる、基板部２１の前後方向幅よりも小さな幅を有する上側連結片２５の上端から前方に向けて延びている。このため、アクチュエータ４０の第３駆動部４９が上側接触ビーム作動部２７を矢印ｂで示す前方に押圧する際に、幅の狭い上側連結片２５が少ない力で容易に変形する。これにより、上側接触ビーム２６が少ない力で容易に前方に移動可能である。また、上側接触ビーム作動部２７が、上側接触ビーム２６の後端且つ上側連結片２５の上端から後方に向けて延びている。このため、簡単な形状及び構成で上側接触ビーム作動部２７を設けることができる。
以上、本発明の実施形態について説明してきたが、本発明はこれに限定されずに種々の変更、改良を行うことができる。
例えば、フラットケーブル７０は、ＦＰＣに限らず、ＦＦＣなどの他のフラットケーブルであってもよい。
【００３８】
また、上側接触ビーム２６は、基板部２１の上縁から延びる、基板部２１の前後方向幅よりも小さな幅を有する上側連結片２５の上端から前方に向けて延びている必要は必ずしもない。また、上側接触ビーム作動部２７は、上側接触ビーム２６の後端且つ上側連結片２５の上端から後方に向けて延びている必要は必ずしもない。上側接触ビーム作動部２７は、上側接触ビーム２６から延びていればよい。
【００３９】
更に、第１コンタクト２０の下側接触ビーム２３は、基板部２１の前縁から延びる、基板部２１の上下方向幅よりも小さな幅を有する下側連結片２２の前端から前方に向けて延びている必要は必ずしもない。また、下側接触ビーム作動部２４は、下側接触ビーム２３の後端且つ下側連結片２２の前端から前方に向けて延びている必要は必ずしもない。下側接触ビーム作動部２４は、下側接触ビーム２３から延びていればよい。
【符号の説明】
【００４０】
１  フラットケーブルコネクタ
１０  ハウジング
１１  フラットケーブル受容開口
２０  第１コンタクト（コンタクト）
２１  基板部
２２  下側連結片
２３  下側接触ビーム
２３ａ  下接点
２４  下側接触ビーム作動部
２５  上側連結片
２６  上側接触ビーム
２６ａ  上接点
２７  上側接触ビーム作動部
３０  第２コンタクト
３２  第２下側接触ビーム
３３  第２上側接触ビーム
４０  アクチュエータ
７０  フラットケーブル
【図１】
0005918634.tif 000002
【図２】
0005918634.tif 000003
【図３】
0005918634.tif 000004
【図４】
0005918634.tif 000005
【図５】
0005918634.tif 000006
【図６】
0005918634.tif 000007
【図７】
0005918634.tif 000008
【図８】
0005918634.tif 000009
【図９】
0005918634.tif 000010
【図１０】
0005918634.tif 000011
【図１１】
0005918634.tif 000012